(57)【要約】【課題】一般的な眼鏡に容易に取り付けることができ、上着やシャツ等の布地を挟持させて眼鏡の抜落ちを防止した眼鏡用固定具提供する。【解決手段】眼鏡用固定具１０，１０Ａ，１０Ｂは、テンプル３０の途中に取り付ける管状の保持部１１，１１ａ，１１ｂと、該保持部に一体に設けられてテンプル３０に沿って延びるクリップ片１２とを有し、保持部は、所定範囲以上の温度変化によって不可逆的に収縮する材質とし、テンプルに装着した後に温度変化を与えて保持部をクリップ片とともにテンプルに固定する。【選択図】図１
2015001642.tif 000002
【特許請求の範囲】
【請求項１】
眼鏡フレームのテンプルに後付けされて、テンプルを折り畳んだ際に衣類の一部など掛止箇所を挟持して、該掛止箇所における眼鏡の落下を防止する眼鏡用固定具において、
前記テンプルの途中に取り付ける管状の保持部と、
前記保持部に一体に設けられて前記テンプルに沿って延びるクリップ片と、を有し、
前記保持部は、所定範囲以上の温度変化によって不可逆的に収縮する材質から成り、前記テンプルに装着した後に該温度変化によってテンプルに固定することを特徴とする眼鏡用固定具。
【請求項２】
前記保持部は、軸線方向の全長に亘る切れ目が設けられた略Ｃ字形横断面に形成され、前記テンプルの挿入により拡開され、該拡開による弾性力によりテンプルに装着可能であることを特徴とする請求項１に記載の眼鏡用固定具。
【請求項３】
前記保持部は、帯状のテープ材から成り、テンプルに管状に巻き付けるように装着可能であることを特徴とする請求項１に記載の眼鏡用固定具。
【請求項４】
前記クリップ片は、その根元となる基端側が前記保持部の適所にインサート成形されたことを特徴とする請求項１，２または３に記載の眼鏡用固定具。
【請求項５】
前記クリップ片は、磁性材料により形成されたことを特徴とする請求項１，２，３または４に記載の眼鏡用固定具。
【請求項６】
前記保持部は、その材質中に磁性材料が含まれていることを特徴とする請求項１，２，３または４に記載の眼鏡用固定具。
【発明の詳細な説明】
【技術分野】
【０００１】
本発明は、眼鏡フレームのテンプルに後付けされて、テンプルを折り畳んだ際に衣類の一部など掛止箇所を挟持して、該掛止箇所における眼鏡の落下を防止する眼鏡用固定具に関する。
【背景技術】
【０００２】
従来、上着やシャツ等の胸ポケットの中に差し込んだ眼鏡が落下しないようにしたものとしては、例えば特許文献１に開示されたようなものがある。  
【０００３】
すなわち、金属製の眼鏡のフレームのテンプルの前端側の外側に取付部を設け、該取付部にコ字状に曲げて形成された金属製のクリップの取付板の裏面側を蝋付けして、クリップの後内端に設けた突起をテンプルの側面に接触するようにしたものである。
【０００４】
また、樹脂又はセルロイド等で作られた芯入りのテンプルを備える眼鏡のフレームのテンプルの前端側の外側に取付部を設け、該取付部に段状に曲げて形成された金属製のクリップの取付板を接着剤で接着するとともに、該取付板に蝶番のリベットに見合う小孔を開けて、蝶番取付用のリベットで一体に取り付けて、クリップの後内端に設けた突起をテンプルの側面に接触するようにしたものも開示されている。
【０００５】
これらは、テンプルとクリップとの間にポケット等の布部分等を挟むことにより、眼鏡が落下しないようにしたものである。
【先行技術文献】
【特許文献】
【０００６】
【特許文献１】特開２００２−３４１２９６号公報
【発明の概要】
【発明が解決しようとする課題】
【０００７】
しかしながら、このような従来の技術は、蝋付けや接着、リベットによる固定によって予め眼鏡のフレームにクリップを取り付けたものであるため、クリップを取り付けられた眼鏡のフレームの中には気に入ったデザインのものが無い場合もあるという問題点があった。
【０００８】
また、眼鏡を購入後にクリップを取り付けようとする場合、一般の購入者は、自身でクリップを取り付けることはできないので、眼鏡店に取り付けを依頼することになり、手間がかかる上に費用も嵩むという問題点がある。
【０００９】
さらに、眼鏡にクリップを取り付ける際に、フレームを傷つける虞があるとともに、いったん眼鏡にクリップを取り付けた後は、クリップが不要となっても後から取り外すことは困難であるという問題点があった。
【００１０】
本発明は、このような従来の技術が有する問題点に着目してなされたもので、一般的な眼鏡に後から容易且つ強固に取り付けることができ、また、取り付け時に眼鏡を傷つける虞がなく、不要となれば取り外すことも可能であり、掛止箇所に挟持させて眼鏡の抜け落ちを確実に防止することができる眼鏡用固定具を提供することを目的としている。
【課題を解決するための手段】
【００１１】
前述した目的を達成するための本発明の要旨とするところは、次の各項の発明に存する。  
［１］眼鏡フレーム（２０）のテンプル（３０）に後付けされて、テンプル（３０）を折り畳んだ際に衣類の一部など掛止箇所を挟持して、該掛止箇所における眼鏡（１）の落下を防止する眼鏡用固定具（１０，１０Ａ，１０Ｂ）において、
前記テンプル（３０）の途中に取り付ける管状の保持部（１１，１１ａ，１１ｂ）と、
前記保持部（１１，１１ａ，１１ｂ）に一体に設けられて前記テンプル（３０）に沿って延びるクリップ片（１２）と、を有し、
前記保持部（１１，１１ａ，１１ｂ）は、所定範囲以上の温度変化によって不可逆的に収縮する材質から成り、前記テンプル（３０）に装着した後に該温度変化によってテンプル（３０）に固定することを特徴とする眼鏡用固定具（１０，１０Ａ，１０Ｂ）。
【００１２】
［２］前記保持部（１１）は、軸線方向の全長に亘る切れ目（１３）が設けられた略Ｃ字形横断面に形成され、前記テンプル（３０）の挿入により拡開され、該拡開による弾性力によりテンプル（３０）に装着可能であることを特徴とする項［１］に記載の眼鏡用固定具（１０）。
【００１３】
［３］前記保持部（１１ｂ）は、帯状のテープ材から成り、テンプル（３０）に管状に巻き付けるように装着可能であることを特徴とする項［１］に記載の眼鏡用固定具（１０Ｂ）。
【００１４】
［４］前記クリップ片（１２）は、その根元となる基端側が前記保持部（１１，１１ａ，１１ｂ）の適所にインサート成形されたことを特徴とする項［１］，［２］または［３］に記載の眼鏡用固定具（１０，１０Ａ，１０Ｂ）。
【００１５】
［５］前記クリップ片（１２）は、磁性材料により形成されたことを特徴とする項［１］，［２］，［３］または［４］に記載の眼鏡用固定具（１０，１０Ａ，１０Ｂ）。
【００１６】
［６］前記保持部（１１，１１ａ，１１ｂ）は、その材質中に磁性材料が含まれていることを特徴とする項［１］，［２］，［３］または［４］に記載の眼鏡用固定具（１０，１０Ａ，１０Ｂ）。
【００１７】
前記本発明は次のように作用する。  
眼鏡用固定具（１０，１０Ａ，１０Ｂ）は、眼鏡フレーム（２０）のテンプル（３０）に後付けされるものである。項［１］の眼鏡用固定具（１０，１０Ａ，１０Ｂ）を後付けする際には、管状の保持部（１１，１１ａ，１１ｂ）をテンプル（３０）が貫通するようにテンプル（３０）の途中に取り付ける。
【００１８】
保持部（１１，１１ａ，１１ｂ）をテンプル（３０）に固定するために、所定範囲以上の温度変化を保持部（１１，１１ａ，１１ｂ）に与える。これにより、保持部（１１，１１ａ，１１ｂ）が不可逆的に熱収縮してテンプル（３０）に強固に固定される。
【００１９】
テンプル（３０）に保持部（１１，１１ａ，１１ｂ）が固定されると、クリップ片（１２）が保持部（１１，１１ａ，１１ｂ）に一体に設けられているので、テンプル（３０）を折り畳んだ際に衣類の一部など掛止箇所をテンプル（３０）とクリップ片（１２）との間に挟持させることによって眼鏡（１）の落下を防止することができる。
【００２０】
また、保持部（１１，１１ａ，１１ｂ）はテンプル（３０）に後付けするため、既存の様々なタイプの眼鏡（１）に適用することができる。さらに、取り付ける際に、テンプル（３０）にネジ孔やリベット孔を設けたり、接着剤を用いたりすることがなく、眼鏡（１）を傷付ける虞がないと共に、不要となれば保持部（１１，１１ａ，１１ｂ）を壊すなどして取り外すことも可能である。
【００２１】
項［２］の眼鏡用固定具（１０）のように、保持部（１１）の軸線方向の全長に亘って切れ目（１３）を設けて保持部（１１）の横断面を略Ｃ字形に形成したものでは、切れ目（１３）の所から拡開することができるので、テンプル（３０）を挿入すると拡開され、この拡開による弾性力によりテンプル（３０）に装着することができる。従って、この眼鏡用固定具（１０）は、切れ目（１３）の無い管状の保持部（１１ａ，１１ｂ）よりも多様な形状のテンプル（３０）に容易に装着することができる。
【００２２】
項［３］の眼鏡用固定具（１０Ｂ）は、保持部（１１ｂ）が帯状のテープ材から成るので、テンプル（３０）に装着する際は、テンプル（３０）に管状に巻き付けてから熱収縮させれば良い。したがって、この眼鏡用固定具（１０Ｂ）は、さらに多様な形状のテンプル（３０）に容易に装着することができる。
【００２３】
項［４］の眼鏡用固定具（１０，１０Ａ，１０Ｂ）によれば、以上におけるクリップ片（１２）は、その根元となる基端側が保持部（１１，１１ａ，１１ｂ）の適所にインサート成形したものとすることにより、保持部（１１，１１ａ，１１ｂ）におけるクリップ片（１２）の向きや位置を気にすることなく保持部（１１，１１ａ，１１ｂ）をテンプル（３０）に装着することができる。これにより、眼鏡用固定具（１０，１０Ａ，１０Ｂ）をテンプル（３０）に装着することが一層に容易になる。
【００２４】
項［５］の眼鏡用固定具（１０，１０Ａ，１０Ｂ）は、クリップ片（１２）が磁性材料により形成されているために、また、項［６］の眼鏡用固定具（１０，１０Ａ，１０Ｂ）は、保持部（１１，１１ａ，１１ｂ）の材質中に磁性材料が含まれているために、鉄やニッケル等の磁石が吸着する金属を含むものに眼鏡（１）を付けることも可能となる。
【発明の効果】
【００２５】
本発明にかかる眼鏡用固定具によれば、一般的な眼鏡に容易かつ強固に装着することができ、眼鏡用固定具のクリップ片と眼鏡のテンプルによって上着やシャツなどの掛止箇所に挟むようにして、眼鏡の抜け落ちを確実に防止することができる。
【００２６】
また、保持部はテンプルに後付けするため、既存の様々なタイプの眼鏡に適用することができる。さらに、取り付ける際に、テンプルにネジ孔やリベット孔を設けたり、接着剤を用いたりすることはなく、眼鏡を傷付ける虞がないと共に、不要となれば保持部を壊すなどして取り外すことも可能である。
【図面の簡単な説明】
【００２７】
【図１】本発明の第１の実施の形態に係る眼鏡用固定具を眼鏡に装着した状態を示す斜視図である。
【図２】本発明の第１の実施の形態に係る眼鏡用固定具を眼鏡に装着した部分を示す拡大斜視図である。
【図３】本発明の第１の実施の形態に係る眼鏡用固定具を示す斜視図である。
【図４】本発明の第２の実施の形態に係る眼鏡用固定具を眼鏡に装着した部分を示す拡大斜視図である。
【図５】本発明の第２の実施の形態に係る眼鏡用固定具を示す斜視図である。
【図６】本発明の第３の実施の形態に係る眼鏡用固定具を眼鏡に装着した部分を示す拡大斜視図である。
【発明を実施するための形態】
【００２８】
以下、図面に基づき、本発明の好適な各種の実施の形態を説明する。  
図１から図３までは、本発明の第１の実施の形態を示している。図１は、本発明の第１の実施の形態に係る眼鏡用固定具１０を眼鏡１に装着し固定した状態を示す斜視図であり、図２は、眼鏡用固定具１０を装着した部分を示す拡大図である。また、図３は、本発明の第１の実施の形態に係る眼鏡用固定具１０を示す斜視図である。
【００２９】
図１に示すように、眼鏡用固定具１０は、眼鏡１の眼鏡フレーム２０の側面をなすテンプル３０に装着して、テンプル３０を折り畳んだ際に衣類の一部など掛止箇所を挟持して、該掛止箇所から眼鏡１が落下しないようにするものである。眼鏡用固定具１０は、テンプル３０の途中に取り付ける管状の保持部１１と、保持部１１に一体に設けられてテンプル３０に沿って延びるクリップ片１２とから成る。
【００３０】
保持部１１は、所定範囲以上の温度変化によって不可逆的に収縮する材質から管状に一体成形されている。ここでの材質は、具体的には例えば、ポリ塩化ビニル系樹脂、ポリエステル系樹脂、ポリオレフィン系樹脂などを主成分とする熱収縮樹脂が適している。
【００３１】
これらの熱収縮樹脂は、熱湯に漬けたり、ドライヤーの熱風を当てることにより、例えば、１００℃以上の熱収縮温度になると、内径収縮率４０％以上で長さ変化率−１５％以上に収縮する。また、本実施の形態のように、次述する切れ目１３を設ける場合には、ある程度硬質のものを用いれば良いが、後述する第２の実施の形態のように切れ目のない管状に成形する場合には、軟質のものが適している。一般に製品化されている「熱収縮チューブ」をそのまま採用すると良い。
【００３２】
本実施の形態における保持部１１は、その軸線方向の全長に亘って切れ目１３が設けられており、横断面が略Ｃ字に形成されている。より詳しくは、保持部１１の横断面形状を切れ目１３の通る径方向に潰れた形状としている。これにより、保持部１１を熱収縮させる前に安定して保持可能なテンプル３０のサイズの範囲を広くすることができる。
【００３３】
すなわち、保持部１１の周長が同じ条件では、保持部１１を真円形状とした場合、保持可能な最小径のテンプル３０は、その径が保持部１１の最小内径よりも若干大きい径のものであるが、保持部１１を切れ目１３を通る径方向に潰れた形状とした場合には、つぶれている分、より小さな径のテンプル３０を保持することが可能となる。
【００３４】
保持部１１には、テンプル３０に沿って延びるクリップ片１２が一体に設けられている。本実施の形態では、クリップ片１２は金属製であり、その根元である基端側が保持部１１にインサート成形されている。したがって、保持部１１とクリップ片１２とは予め一体に形成されている。クリップ片１２は、眼鏡用固定具１０をテンプル３０に装着したときに、テンプル３０の外側に沿って延び、その先端部がテンプル３０の自由端に向かって延在する。
【００３５】
クリップ片１２の先端部には、テンプル３０に向かって突出した複数本の突起１４が形成されている。この突起１４に換えて一つの円錐状様の突起を形成してもよいし、このクリップ片１２は、金属以外でも良く弾性を有する素材で形成されるが、テンプル３０に弾性が有る場合は、弾性を有しない素材のものでもよいし、弾性を有する素材であっても良い。
【００３６】
なお、保持部１１とクリップ片１２とは、クリップ片１２を保持部１１の内側面に接着剤で接着して一体としてもよい。また、保持部１１にクリップ片１２の基端側を差し込むポケットのような差込部を形成し、該差込部にクリップ片１２を差し込んだ状態でテンプル３０を挿着させて熱収縮させても良い。
【００３７】
次に、本実施の形態に係る眼鏡用固定具１０の作用を説明する。  
眼鏡用固定具１０を眼鏡１のテンプル３０に装着して固定するときは、先ず保持部１１にテンプル３０を挿着する。例えば、テンプル３０が耳に掛かる側の先端部から保持部１１に挿入し、眼鏡用固定具１０が所望の位置に至るまで挿入して行けばよい。
【００３８】
このとき、保持部１１には切れ目１３が入っているのでテンプル３０を挿入したときに切れ目１３から比較的容易に拡径される。これにより、保持部１１をテンプル３０の所望の位置に容易に取り付けることができる。図示した例では、テンプル３０が眼鏡フレーム２０に連結された連結端の近傍に装着されている。
【００３９】
保持部１１にテンプル３０を挿着するときは、テンプル３０が耳に掛かる自由端部側にクリップ片１２の先端が向くようにする。なお、テンプル３０の形状、幅の広さによっては、テンプル３０をその自由端部の先端から保持部１１に挿入することなく、切れ目１３から保持部１１内にテンプル３０を押し込むようにして嵌め込むことができる。
【００４０】
このようにして、眼鏡用固定具１０を所望の位置に取り付けたら、保持部１１を熱収縮させてテンプル３０に固定させる。そのためには、例えば眼鏡用固定具１０を装着した部分を沸騰水に浸せばよい。これによって保持部１１が熱収縮してテンプル３０に確実かつ強固に固定される。
【００４１】
保持部１１の上記素材は不可逆的に熱収縮するので、いったんテンプル３０に固定された眼鏡用固定具１０は、再度の加熱をしたりあるいは低温に冷却したりしても元に戻って緩んでしまうことはない。なお、保持部１１を熱収縮させるためには、ドライヤーで熱風を保持部１１に吹きかけても良い。
【００４２】
このようにしてテンプル３０に眼鏡用固定具１０を固定した眼鏡１は、テンプル３０を折り畳んだ衣類のえり、ポケット、その他衣類の一部を掛止箇所として、当該掛止箇所をテンプル３０とクリップ片１２との間で挟持させることによって眼鏡１の落下を防止することができる。
【００４３】
また、保持部１１はテンプル３０に後付けするため、既存の様々なタイプの眼鏡１に適用することができる。さらに、取り付ける際に、テンプル３０にネジ孔やリベット孔を設けたり、接着剤を用いることはなく、眼鏡１を傷付ける虞がないと共に、不要となれば保持部１１を壊すなどして取り外すことも可能である。
【００４４】
次に、本発明の第２の実施の形態を説明する。  
図４および図５は本発明の第２の実施の形態を示している。図４は、本発明の第２の実施の形態に係る眼鏡用固定具１０Ａを眼鏡１に装着した部分を示す拡大図であり、図５は、本発明の第２の実施の形態に係る眼鏡用固定具１０Ａを示す斜視図である。なお、第１の実施の形態と同種の部位には同一符号を付し重複した説明を省略する。
【００４５】
第１の実施の形態において保持部１１の形状を横断面が略Ｃ字状になるように保持部１１の全長に亘って切れ目１３を形成したが、本実施の形態に係る眼鏡用固定具１０Ａでは、保持部１１ａに切れ目１３を入れずに管状とした点が第１の実施の形態に係る眼鏡用固定具１０と異なっている。
【００４６】
保持部１１ａやクリップ片１２の材質は、第１の実施の形態に係る眼鏡用固定具１０と同じものを使用することができる。また、保持部１１ａとクリップ片１２とは、クリップ片１２を保持部１１ａの内側面に接着剤で接着して一体としてもよいこと、および保持部１１ａにクリップ片１２の基端側を差し込むポケットのような差込部を形成し、該差込部にクリップ片１２を差し込んだ状態でテンプル３０を挿着させて熱収縮させても良いことも第１の実施の形態に係る眼鏡用固定具１０と同様である。
【００４７】
本実施の形態の場合は、眼鏡用固定具１０Ａをテンプル３０に装着するときは、テンプル３０が耳に掛かる側の先端部から保持部１１ａに挿入することになる。テンプル３０に装着した眼鏡用固定具１０Ａの保持部１１ａを熱収縮させて固定する方法は、第１の実施の形態における場合と同様である。
【００４８】
次に、本発明の第３の実施の形態を説明する。  
図６は、本発明の第３の実施の形態を示している。この図６は、本発明の第３の実施の形態に係る眼鏡用固定具１０Ｂを眼鏡１に装着した部分を示す拡大図である。
【００４９】
本実施の形態においては、眼鏡用固定具１０Ｂの保持部１１ｂが管状ではなく、帯状のテープ材から成る点が第１および第２の実施の形態とは異なる。保持部１１ｂの材質は、第１の実施の形態に係る眼鏡用固定具１０と同じものを使用することができる。クリップ片は図示していないが、第１の実施の形態におけるクリップ片１２と同様のものを使用することができる。
【００５０】
保持部１１ｂは帯状であり、装着時にテンプル３０に管状に巻き付けてから加熱によって熱収縮させるものである。このためクリップ片は、第１の実施の形態と同じものが保持部１１ｂとは別体の部材となっている。
【００５１】
この眼鏡用固定具１０Ｂをテンプル３０に装着固定するためには、先ず、保持部１１ｂをテンプル３０に巻き付ける。この際、クリップ片をテンプル３０と保持部１１ｂとの間に挟むようにして保持部１１ｂに巻き付ける。あるいは、保持部１１ｂを多重に巻き付けて内側の保持部１１ｂと外側の保持部１１ｂとの間にクリップ片を挟むようにしてもよい。このようにテンプル３０に巻き付けた保持部１１ｂは管状になる。眼鏡用固定具１０Ｂの保持部１１ｂを熱収縮させてテンプル３０に固定する方法は、第１の実施の形態における場合と同様である。
【００５２】
なお、保持部１１ｂとクリップ片とは、クリップ片を保持部１１ｂに接着剤で接着して一体とすることもできる。また、保持部１１ｂにクリップ片の基端側を差し込むポケットのような差込部を形成し、該差込部にクリップ片を差し込んだ状態でテンプル３０に巻き付けた後、熱収縮させて固定しても良い。本実施の形態に係る眼鏡用固定具１０Ｂでは、帯状の保持部１１ｂをテンプル３０に巻き付けて装着するので、テンプル３０の形状や幅の広さ等に制限されることなく、極めて多種類の眼鏡に取り付けて利用することができる。
【００５３】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、以上に説明した第１から第３の各実施の形態において、クリップ片１２を磁性材料により形成したものとしてもよい。
【００５４】
また、保持部１１，１１ａ，１１ｂは、その材質中に磁性材料を含むものとしてもよい。これにより、鉄やニッケル等の磁石が吸着する金属を含むものにも眼鏡１を付けておくことができる。
【産業上の利用可能性】
【００５５】
本発明は、眼鏡のように耳に掛けるテンプルを備えており、それほど重量が嵩まないものに広く実施することができる。
【符号の説明】
【００５６】
１…眼鏡
１０…眼鏡用固定具
１０Ａ…眼鏡用固定具
１０Ｂ…眼鏡用固定具
１１…保持部
１１ａ…保持部
１１ｂ…保持部
１２…クリップ片
１３…切れ目
１４…突起
２０…眼鏡フレーム
３０…テンプル
【図１】
2015001642.tif 000003
【図２】
2015001642.tif 000004
【図３】
2015001642.tif 000005
【図４】
2015001642.tif 000006
【図５】
2015001642.tif 000007
【図６】
2015001642.tif 000008